(57)【要約】      （修正有）【課題】オンラインまたはオフラインを介して使用者が要求した図書の図書名を抽出して、使用者が使用する読書通帳に出力することができる、読書通帳整理装置を提供すること。【解決手段】図書に付着された国際標準図書番号をバーコードリーダ１３よって読み込み、読み込んだ国際標準図書番号にマッチングする図書名を、外部格納装置または図書目録提供システムから抽出し、抽出された前記図書名が読書通帳にプリントされるように、プリンターを制御する。【選択図】図１
2017037612.tif 000002
【特許請求の範囲】
【請求項１】
図書に付着された国際標準図書番号（ＩＳＢＮ）バーコードを読み取るバーコードリーダー；
読書通帳投入部を介して投入される読書通帳に付着されたタグを読み取るタグリーダー；
前記国際標準図書番号にマッチングされる図書名を抽出する制御部；
抽出された前記図書名を前記読書通帳投入部に投入された前記読書通帳にプリントするプリンター；
外部格納装置との通信を遂行する外部格納装置通信部；および
ネットワークを介して図書目録提供システムとの通信を遂行するネットワーク通信部を含み、
前記制御部は、前記図書に付着された前記国際標準図書番号にマッチングされる図書名を、前記外部格納装置または前記図書目録提供システムから抽出し、抽出された前記図書名が前記読書通帳にプリントされるように、前記プリンターを制御する読書通帳整理装置。
【請求項２】
前記読書通帳投入部には、前記読書通帳投入部に投入される読書通帳を支持する読書通帳支持台が装着されており、
前記タグリーダーは、前記読書通帳投入部または前記読書通帳支持台に装着されている、請求項１に記載の読書通帳整理装置。
【請求項３】
前記制御部は、
前記図書に付着された前記国際標準図書番号にマッチングされる図書分類帯を前記外部格納装置または前記図書目録提供システムから抽出し、抽出された前記図書分類帯が前記図書名とともに前記読書通帳にプリントされるように、前記プリンターを制御する、請求項１に記載の読書通帳整理装置。
【請求項４】
前記図書の費用と関連した情報を入出力する入出力部；および
前記図書に対する領収証を発行する領収証発給部をさらに含み、
前記制御部は、前記入出力部を介して入力された費用についての領収証が出力されるように、前記領収証発給部を制御する、請求項１に記載の読書通帳整理装置。
【請求項５】
前記タグリーダーは、
前記読書通帳に付着されている無線識別（ＲＦＩＤ：ｒａｄｉｏ  ｆｒｅｑｕｅｎｃｙ  ｉｄｅｎｔｉｆｉｃａｔｉｏｎ）タグ、あるいは前記読書通帳に付着または印刷されているバーコードを分析して、前記読書通帳投入部を介して読書通帳が投入されたことを確認する、請求項１に記載の読書通帳整理装置。
【請求項６】
前記図書に付着または印刷されたイメージを分析するスキャナーをさらに含み、
前記制御部は、前記スキャナーを介して分析された前記イメージを利用して、前記図書にマッチングされる図書名を、前記外部格納装置または前記図書目録提供システムから抽出する、請求項１に記載の読書通帳整理装置。
【発明の詳細な説明】
【技術分野】
【０００１】
本発明は、読書通帳を整理する装置に関する。
【背景技術】
【０００２】
個人の読書現況を管理する方法および装置は、韓国特許公開番号第２００６‐１１１８７２号、韓国特許番号第０６１４９３９号および韓国特許番号第１２６４４０８号等に記載されている。
従来の読書通帳整理装置は、図書館の資料管理システムと連動して使用されている。
【０００３】
しかし、資料管理システムと連動する装置および方法は、多くの構築コストを要求する。また、資料管理システムに障害が発生した場合、資料管理システムが回復されるまでは、読書通帳整理装置を使用することができない。
また、人員や予算などの問題から資料管理システムを具備できていない学校図書館、文庫等においては、読書通帳整理装置を使用することができない。
【先行技術文献】
【特許文献】
【０００４】
【特許文献１】韓国特許公開番号２００６−１１１８７２号公報
【発明の概要】
【発明が解決しようとする課題】
【０００５】
本発明は、上述した問題点を解決するために提案されたものであって、オンラインまたはオフラインを介して使用者が要求した図書の図書名を抽出して、使用者が使用する読書通帳に出力することができる、読書通帳整理装置を提供することを技術的課題とする。
【課題を解決するための手段】
【０００６】
上述した技術的課題を達成するための、本発明に係る読書通帳整理装置は、図書に付着された国際標準図書番号（ＩＳＢＮ）バーコードを読み取るバーコードリーダー；読書通帳投入部を介して投入される読書通帳に付着されたタグを読み取るタグリーダー；前記国際標準図書番号にマッチングされる図書名を抽出する制御部；抽出された前記図書名を前記読書通帳投入部に投入された前記読書通帳にプリントするプリンター；外部格納装置との通信を遂行する外部格納装置通信部；および、ネットワークを介して図書目録提供システムとの通信を遂行するネットワーク通信部を含み、前記制御部は、前記図書に付着された前記国際標準図書番号にマッチングされる図書名を、前記外部格納装置または前記図書目録提供システムから抽出し、抽出された前記図書名が前記読書通帳にプリントされるように、前記プリンターを制御する。
【発明の効果】
【０００７】
本発明によれば、資料管理システムが要求されない。よって、読書通帳整理装置を使用するために、多くの費用および装備が要求されない。
また、本発明は、オンラインまたはオフラインのいずれにおいても使用することができる。よって、本発明は、ネットワークが連結されていない施設においても簡便に使用することができる。
したがって、本発明は、資料管理システムなしに、家電製品のように容易に設置して使用することができる。
【図面の簡単な説明】
【０００８】
【図１】本発明に係る読書通帳整理装置の外部正面を示した例示図である。
【図２】本発明に係る読書通帳整理装置の外部背面を示した例示図である。
【図３】本発明に係る読書通帳整理装置の内部構成を示した例示図である。
【図４】本発明に係る読書通帳整理装置に適用されるＩＳＢＮと図書名の関係を示した例示図である。
【図５】本発明に係る読書通帳整理装置に適用される図書の分類帯を示した図である。
【図６】本発明に係る読書通帳整理装置に適用されるＩＳＢＮ、図書名と分類帯の関係を示した例示図である。
【図７】本発明に係る読書通帳整理装置の入出力装置を通じて提供される画面の一例示図である。
【図８】本発明に係る読書通帳整理装置の入出力装置を通じて提供される画面の他の一例示図である。
【発明を実施するための形態】
【０００９】
以下、添付された図面を参照しつつ、本発明の実施例について詳細に説明する。
図１は、本発明に係る読書通帳整理装置の外部正面を示した例示図、図２は、本発明に係る読書通帳整理装置の外部背面を示した例示図、図３は、本発明に係る読書通帳整理装置の内部構成を示した例示図である。また、図４は、本発明に係る読書通帳整理装置に適用されるＩＳＢＮと図書名の関係を示した例示図、図５は、本発明に係る読書通帳整理装置に適用される本の分類帯を示した図、図６は、本発明に係る読書通帳整理装置に適用されるＩＳＢＮ、図書名と分類帯の関係を示した例示図である。
【００１０】
本発明に係る読書通帳整理装置１０は、図１〜図３に示されたところのように、図書に付着された国際標準図書番号（ＩＳＢＮ）バーコードを読み取るバーコードリーダー１３、読書通帳投入部２２を介して投入される読書通帳に付着された無線識別（ＲＦＩＤ：ｒａｄｉｏ  ｆｒｅｑｕｅｎｃｙ  ｉｄｅｎｔｉｆｉｃａｔｉｏｎ）タグを読み取るタグリーダー１４、前記国際標準図書番号にマッチングされる図書名を抽出する制御部１１、抽出された前記図書名を前記読書通帳投入部２２に投入された前記読書通帳にプリントするプリンター１９、外部格納装置との通信を遂行する外部格納装置通信部１５、および、ネットワークを介して図書目録提供システムとの通信を遂行するネットワーク通信部１６を含む。
【００１１】
ここで、前記図書目録提供システムは、オンラインのポータルサイトまたは各種機関または本発明に係る読書通帳管理装置を提供する業者において運営されてよい。すなわち、前記図書目録提供システムは、従来利用されていた資料管理システムよりも拡張された概念である。
敷衍して説明すると、前記資料管理システムは、特定の機関によって運営され、特定の端末機を利用したり、会員として登録された使用者によってのみ利用されてよい。
【００１２】
しかし、前記図書目録提供システムは、不特定の使用者にオンラインを介して、国際標準図書番号（ＩＳＢＮ：Ｉｎｔｅｒｎａｔｉｏｎａｌ  Ｓｔａｎｄａｒｄ  Ｂｏｏｋ  Ｎｕｍｂｅｒ）、図書名、分類コード、分類名または出版社等を提供するシステムである。国際標準図書番号（ＩＳＢＮ）、図書名、分類コード、分類名または出版社等を総称して図書目録という。
【００１３】
使用者は、本発明に係る読書通帳管理装置を、ネットワークを介して前記図書目録提供システムに連結させた後、前記図書目録提供システムから前記図書目録の提供を受けることができる。
【００１４】
また、使用者は、パソコン、スマートフォン、タブレットＰＣといった別途のネットワーク通信装置を利用して、前記図書目録提供システムに連結した後、前記図書目録提供システムから図書目録をダウンロードしてよい。使用者は、ダウンロードした図書目録を、外部格納装置（たとえば、ＵＳＢメモリ）に保存させた後、前記外部格納装置を本発明に係る読書通帳管理装置に連結させてよい。すなわち、使用者は、ダウンロードした図書目録をオフライン上で利用してよい。
【００１５】
また、前記読書通帳整理装置１０は、前記図書の費用と関連した情報を入出力する入出力部１２、および前記図書に対する領収証を発行する領収証発給部１８をさらに含んでよい。
また、前記読書通帳整理装置１０は、前記読書通帳整理装置１０の駆動に必要な各種情報を格納する格納部１７をさらに含む。
【００１６】
また、前記読書通帳投入部２２には、前記読書通帳投入部２２に投入される読書通帳を支持する読書通帳支持台２３が装着されている。
この場合、前記タグリーダー１４は、前記読書通帳投入部２２または前記読書通帳支持台２３に装着されてよい。
【００１７】
前記制御部１１は、前記図書に付着された前記国際標準図書番号にマッチングされる図書名を、前記外部格納装置または前記図書目録提供システムから抽出し、抽出された前記図書名が前記読書通帳にプリントされるように、前記プリンター１９を制御する。
また、前記制御部１１は、前記入出力部１２を介して入力された費用についての領収証が出力されるように、前記領収証発給部１８を制御する。
【００１８】
第一に、前記構成要素は、ケース２１によってカバーされる。
たとえば、前記ケース２１の正面には、前記入出力部１２、前記バーコードリーダー１３、前記領収証発給部１８、前記読書通帳支持台２３、および前記読書通帳投入部２２が配置されてよい。
【００１９】
前記ケース２１の側面には、使用者が前記読書通帳整理装置１０を掴んで移動することができるように、持ち手２４が配置されてよい。
前記ケース２１の背面には、図２に示されたところのように、前記外部格納装置通信部１５と前記外部格納装置を連結させる外部格納装置用ポート２５が配置されてよい。
【００２０】
前記ケース２１の背面には、前記ネットワーク通信部１６と前記図書目録提供システムを連結させる通信回線が締結されるネットワーク用ポート２６が配置されてよい。
前記ケース２１の背面には、前記ケース２１の上端部と下端部を連結させるヒンジ２７が配置されてよい。前記ヒンジ２７をオープンさせると、前記読書通帳整理装置１０の内部がオープンされる。
前記ケース２１の背面には、前記読書通帳整理装置１０に印加される電源をオンまたはオフさせる電源スイッチ２８が配置されてよい。
【００２１】
第二に、前記バーコードリーダー１３は、前記図書に付着された国際標準図書番号（ＩＳＢＮ）バーコードを読み取る機能を遂行する。
前記国際標準図書番号（ＩＳＢＮ）は、各図書に割り当てられた番号であり、特に、国際標準に合わせて整理された番号である。
【００２２】
前記ＩＳＢＮバーコードは、多様な形態で構成されてよい。たとえば、前記ＩＳＢＮバーコードは、複数のラインで形成されてもよく、またはＱＲコード（登録商標）のように複数の２次元図形で構成されてもよい。
【００２３】
第三に、前記タグリーダー１４は、前記読書通帳投入部２２を介して投入される読書通帳に付着された無線識別（ＲＦＩＤ：ｒａｄｉｏ  ｆｒｅｑｕｅｎｃｙ  ｉｄｅｎｔｉｆｉｃａｔｉｏｎ）タグを読み取る機能を遂行する。
敷衍して説明すると、前記タグリーダー１４は、前記読書通帳に付着されている無線識別（ＲＦＩＤ：ｒａｄｉｏ  ｆｒｅｑｕｅｎｃｙ  ｉｄｅｎｔｉｆｉｃａｔｉｏｎ）タグ、あるいは前記読書通帳に付着または印刷されているバーコードを分析して、前記読書通帳投入部２２を介して読書通帳が投入されたことを確認する。
【００２４】
前記タグリーダー１４は、前記読書通帳投入部２２または前記読書通帳支持台２３に装着されてよい。
前記タグリーダー１４を介して読書通帳が投入されたことが確認されると、前記制御部１１は、読書通帳に前記図書名等を出力する。
【００２５】
第四に、前記制御部１１は、前記バーコードリーダー１３を介して把握された前記図書の前記国際標準図書番号（ＩＳＢＮ）とマッチングされている図書名を抽出する機能を遂行する。
【００２６】
たとえば、前記制御部１１は、前記図書に付着された前記国際標準図書番号にマッチングされる図書名を抽出するために、前記格納部１７に格納されている図書名を分析するか、前記外部格納装置に格納されている図書名を分析したり、または、前記図書目録提供システムに前記国際標準図書番号についての情報を送信したりする。
【００２７】
前記制御部１１は、前記格納部１７または前記外部格納装置から抽出された図書名、または前記図書目録提供システムを介して送信された図書名を、前記プリンター１９を介して前記読書通帳に出力する。
たとえば、前記制御部１１は、図４に示すように、前記図書のＩＳＢＮコードおよび前記ＩＳＢＮに対応する図書名を前記読書通帳にプリントしてよい。
【００２８】
しかし、前記制御部１１は、前記図書の図書名だけでなく、前記図書が含まれている分類帯についての情報を前記読書通帳にプリントしてよい。前記分類帯は、図書の分類コードおよび分類名を含んでよい。
一般的に、図書は、韓国十進分類法（ＫＤＣ）等の図書分類表によって分類でき、前記図書目録提供システムには、図５に示されたところのような図書分類帯についての情報が格納されてよい。
【００２９】
したがって、前記制御部１１は、前記ＩＳＢＮが把握されると、前記外部格納装置または前記図書目録提供システムまたは前記格納部から、前記ＩＳＢＮにマッチングされている図書名、分類コードおよび分類名を抽出して、図４または図６に示されたところのような情報を、前記プリンター１９を介して前記読書通帳にプリントしてよい。
【００３０】
使用者は、前記読書通帳にプリントされた内容を確認して、当該図書が属する分類帯を確認することができる。
この場合、使用者は、読書通帳にプリントされた図書名と分類コードおよび分類名に基づいて、自身が所蔵している図書を分類することができ、当該分類に従って、自身の本棚に図書を配置させることができる。
【００３１】
第五に、前記プリンター１９は、前記制御部１１の制御に従って、抽出された前記図書名を、前記読書通帳投入部２２に投入された前記読書通帳にプリントする。
このため、前記プリンター１９は、前記読書通帳投入部２２の内部に装着されてよい。
【００３２】
第六に、前記外部格納装置通信部１５は、前記外部格納装置との通信を遂行して、前記外部格納装置から前記図書名の伝達を受ける。
前記外部格納装置は、ＵＳＢメモリとされてよく、または外付型ハードとされてもよい。
前記ケース２１には、前記外部格納装置と連結された外部格納装置用ポート２５が装着されている。前記外部格納装置は、前記外部格納装置用ポート２５に装着されて、前記外部格納装置通信部１５との通信を遂行する。
【００３３】
第七に、前記ネットワーク通信部１６は、ネットワークを介して図書目録提供システムとの通信を遂行する。
ここで、前記図書目録提供システムは、書店、ポータルサイト、各種機関、本発明に係る読書通帳管理装置を提供する業者などにおいて管理されてよい。
【００３４】
第八に、前記入出力部１２は、使用者が前記読書通帳整理装置１０で各種情報を入力する際に利用されてよい。すなわち、使用者は、前記入出力部１２を介して、各種情報を前記読書通帳整理装置１０に入力してよい。
【００３５】
前記入出力部１２は、前記制御部１１で処理された各種情報、たとえば、前記バーコードリーダー１３を介して把握された前記図書のＩＳＢＮコード、バーコード番号および抽出された図書名等を出力してよい。
【００３６】
前記入出力部１２は、前記入力機能を遂行するキーボードまたはマウス等の入力装置と、前記出力機能を遂行するモニタを個別に含んでよい。
しかし、前記入出力部１２は、タッチスクリーンで構成されてよく、この場合、前記入力機能と前記出力機能が前記タッチスクリーンを介して行われてよい。
【００３７】
第九に、前記領収証発給部１８は、前記図書に対する領収証を発行する機能を遂行する。
この場合、本発明に係る読書通帳整理装置は、ＰＯＳ端末の機能を遂行してよい。
【００３８】
たとえば、本発明に係る読書通帳整理装置１０に費用決済機能が装着されているならば、使用者が前記バーコードリーダー１３を介して前記図書の図書名を確認する際に、前記制御部１１は、前記図書に対する決済を同時に遂行してよい。
【００３９】
また、使用者が、図書名を確認した後に、別途のプロセッサを介して図書費用の決済を要請した場合、前記制御部１１は、前記図書に対する決済を遂行してよい。
この場合、前記制御部１１は、前記ネットワーク通信部１６を介して、費用と関連した決済要請を費用決済システムに伝送し、前記費用決済システムから承認情報が受信されれば、前記領収証発給部１８を駆動して領収証を発行する。
【００４０】
敷衍して説明すると、使用者は、本発明に係る読書通帳整理装置１０を利用して、自身が利用する読書通帳に、自身が購入した、または借りた図書の図書名を入力してよく、かつ、自身が購入した図書に対する費用を決済してもよい。
【００４１】
この場合、本発明に係る読書通帳整理装置１０には、使用者が利用するクレジットカード情報の入力を受けることのできるカード入力装置が具備されてよい。
【００４２】
第十に、本発明に係る読書通帳整理装置は、図書に付着または印刷されたイメージを分析するスキャナーをさらに含んでよい。
前記制御部１１は、前記スキャナーを介して分析された前記イメージを利用して、前記図書にマッチングされる図書名を、前記外部格納装置または前記図書目録提供システムから抽出する。
【００４３】
このために、前記外部格納装置または前記図書目録提供システムは、前記イメージについての情報を格納してよい。
たとえば、前記イメージは、前記図書の表紙に付着または印刷されたイメージである。この場合、前記イメージは、前記外部格納装置または前記図書目録提供システムにもあらかじめ登録されている。
【００４４】
前記制御部は、前記スキャナーを介して分析された前記イメージを、前記外部格納装置または前記図書目録提供システムにあらかじめ格納されているイメージと分析して、前記イメージとマッチングされている図書名を抽出してよい。
【００４５】
他の方法として、前記制御部は、前記スキャナーを介して分析された前記イメージから、前記図書の図書名を抽出してもよい。前記制御部は、抽出された前記図書名についての追加情報、たとえば、前記図書の国際標準図書番号（ＩＳＢＮ）、分類コード、分類名または出版社等を、前記外部格納装置または前記図書目録提供システムから追加的に提供されてもよい。
【００４６】
以下では、本発明に係る読書通帳整理装置を利用して読書通帳を整理する方法が説明される。
まず、使用者は、図書名が含まれているデータを、前記読書通帳整理装置１０に装着させてよい。
【００４７】
たとえば、使用者は、前記読書通帳整理装置１０の前記外部格納装置用ポート２５に外部格納装置を装着させた後、前記外部格納装置に格納されている図書名データを前記格納部１７にダウンロードしてよい。また、前記外部格納装置が、前記外部格納装置用ポート２５に格納されて、前記格納部として利用されてもよい。
【００４８】
また、使用者は、前記ネットワーク用ポート２６にインターネットなどの通信システムと連結された通信回線を連結させる。その後、前記制御部１１は、前記ネットワーク通信部１６を介して前記図書目録提供システムとの通信を遂行する。
【００４９】
次に、使用者は、自身が利用している読書通帳を前記読書通帳投入部２２に投入する。
この場合、前記タグリーダー１４は、前記読書通帳に付着されているタグを確認することにより、読書通帳が前記読書通帳投入部２２に投入されたことを確認する。
【００５０】
次に、使用者は、図書名を確認しようとする図書のＩＳＢＮバーコードを前記バーコードリーダー１３に認識させる。
この場合、前記バーコードリーダー１３は、前記ＩＳＢＮバーコードを認識して、前記国際標準図書番号（ＩＳＢＮ）を把握する。
【００５１】
次に、前記制御部１１は、把握された前記国際標準図書番号とマッチングされている図書名を抽出する。
この場合、前記制御部１１は、前記したところのように、前記格納部１７、前記外部格納装置および前記図書目録提供システムを利用して、前記図書名を抽出してよい。
【００５２】
また、前記制御部１１は、前記図書の分類コードおよび分類名を抽出してもよい。
最後に、前記制御部１１は、抽出された前記図書名、前記ＩＳＢＮ、前記分類コードおよび分類名等を、前記プリンター１９を介して前記読書通帳にプリントしてよい。
【００５３】
図７および図８は、本発明に係る読書通帳整理装置の入出力装置を介して提供される画面の例示図である。
本発明に係る読書通帳整理装置は、前記入出力部１２を介して、図７および図８に示されたところのような画面を提供してよい。
【００５４】
本発明に係る読書通帳整理装置１０は、子供または小中高校生らの目線に合わせて、簡便なユーザーインターフェイスを、前記入出力部１２を介して提供してよい。
たとえば、図７は、使用者が読書通帳を前記読書通帳投入部２２に投入せよという情報を示している。
【００５５】
使用者は、図７のような画面を介して提供される動画またはメッセージまたはイメージ等を利用して、前記読書通帳投入部２２に読書通帳を投入することができる。
前記制御部１１は、抽出された図書名を前記読書通帳に出力する前に、図８に示されたところのように、前記入出力部１２を介して前記図書名についての情報を提供してもよい。
【００５６】
本発明に係る読書通帳整理装置１０は、会員登録に関する別途の手続がなくとも、使用者が、自身の読書通帳に、自身が購入したり借りたりした図書の図書名を簡便に出力するようにしてよい。
たとえば、本発明に係る読書通帳整理装置１０は、会員登録がなくとも、前記バーコードリーダー１３を介して把握されたＩＳＢＮおよび前記ＩＳＢＮにマッチングされている図書名を、前記読書通帳にプリントしてよい。
【００５７】
したがって、本発明に係る読書通帳整理装置は、学校、図書館、書店、または家庭に配置されて、簡便に利用され得る。特に、別途の会員加入手続が必要でないため、本発明に係る読書通帳整理装置は、複数の使用者によって自由に利用され得る。
【００５８】
本発明を簡単に整理すると、次のとおりである。
本発明は、子供および青少年の読書増進のためのものであり、特に、読書通帳に図書名を印刷することのできる装置である。
【００５９】
本発明によれば、図書目録提供システムが要求されない。本発明は、図書目録提供システムに依存することなく、図書に印刷されている国際標準図書番号（ＩＳＢＮ：Ｉｎｔｅｒｎａｔｉｏｎａｌ  Ｓｔａｎｄａｒｄ  Ｂｏｏｋ  Ｎｕｍｂｅｒ）バーコードを利用して図書名を読書通帳に印刷することができる。たとえば、本発明は、図書に印刷されているＩＳＢＮバーコードを、バーコードリーダーを利用して読み取った後、前記ＩＳＢＮとリンクされている図書名を抽出した後、抽出された図書名を読書通帳に出力する。
【００６０】
図書名は、本発明に係る読書通帳整理装置の格納部１７に格納されてよい。
この場合、前記図書名は、オフライン上で、外部格納装置（ＵＳＢメモリ）により前記格納部１７に格納されてよい。
【００６１】
また、前記図書名は、前記外部格納装置に格納された状態で、前記読書通帳整理装置によって利用されてよい。
また、前記図書名は、オンライン上で、ポータルサイトまたは機関等といった図書名を提供する図書名提供先から送信されて、前記格納部に格納されてよい。
【００６２】
本発明が属する技術分野における当業者は、本発明が、その技術的思想や必須的特徴を変更せずに、他の具体的な形態で実施され得るということを理解するこができるであろう。それゆえ、以上において記述した実施例は、すべての面において例示的なものであり、限定的なものでないものと理解しなければならない。本発明の範囲は、前記詳細な説明よりは、後述する特許請求の範囲によって示されており、特許請求の範囲の意味および範囲、そして、その等価概念から導き出されるあらゆる変更または変形された形態が本発明の範囲に含まれるものと解釈されなければならない。
【符号の説明】
【００６３】
１０：読書通帳整理装置
１１：制御部
１２：入出力部
１３：バーコードリーダー
１４：タグリーダー
１５：外部格納装置通信部
１６：ネットワーク通信部
１７：記憶部
１８：領収証発給部
１９：プリンター
２１：ケース
２２：読書通帳投入部
２３：読書通帳支持台
２４：持ち手
【図１】
2017037612.tif 000003
【図２】
2017037612.tif 000004
【図３】
2017037612.tif 000005
【図４】
2017037612.tif 000006
【図５】
2017037612.tif 000007
【図６】
2017037612.tif 000008
【図７】
2017037612.tif 000009
【図８】
2017037612.tif 000010